(57)【要約】【課題】自動車内でハンドルから手を離さず安全に携帯電話を掛けることができる自動車ハンドル用ブルートゥース音声通信装置を提供する。【解決手段】主に２つの第一ダイアル発信器(1)第二ダイアル発信器(1’)及び１つのメインコントローラー(90)を含み、２つの第一ダイアル発信器(1)第二ダイアル発信器(1’)はハンドル(70)の左右両側にそれぞれ１つずつ設置され、第一ダイアル発信器(1)第二ダイアル発信器(1’)のキー(22)はメインコントローラー(90)にRF無線発信でき、メインコントローラー(90)は無線受信器により第一ダイアル発信器(1)第二ダイアル発信器(1’)のキー(22)より発信される信号を受信でき、ブルートゥース音声通信技術によりメインコントローラー(90)と携帯電話(100)との間のダイアル信号及び音声信号を変換することができ、又、該メインコントローラー(90)はマイク(91)とスピーカー(92)とを具備する。【選択図】図１
0003121619.tif 000002
【実用新案登録請求の範囲】
【請求項１】
主に２つの相対する第一ダイアル発信器(1)第二ダイアル発信器(1’)及び１つのメインコントローラー(90)を含み、
該２つの第一ダイアル発信器(1)第二ダイアル発信器(1’)は１つの蓋(10)と、１つのキーセット(20)と、１つの回路板(30)と、１つの底座(40)と、１つの電池座(50)と、１つの夾座(60)とを含み、
該蓋(10)は長弧状蓋体であり、上端面に１つの長孔(12)を有し、下から１つのキーセット(20)のキー(22)を設置することができ、
該キーセット(20)は１つの金属弾力プレート(25)の側端と１つのストッパー(15)とが蓋(10)底に一体化固定され、即ち、金属弾力プレート(25)側端が蓋(10)底端に嵌合される構造及び金属弾力プレート(25)の構造により該キー(22)は弾力性を具備することができ、
該回路板(30)は数個のキー(22)に相対する位置にキー(22)の発信及びコントロール信号を送る為の数個のキースイッチ(32)を有し、
且つ、該回路板(30)上に１つのRF無線発信器(33)を有することにより、メインコントローラー(90)にキー(22)の信号及びコントロール信号を無線発信することができ、
該底座(40)は蓋(10)上に固定され、
又、該底座(40)は側縁に開口槽(45)を有し、１つの電池座(50)を挿入設置することができ、
該電池座(50)は底座(40)内に設置され、引き出すことにより、電池(51)を交換することができ、
該電池座(50)内の電池(51)は該回路板(30)底縁の導電プレート(34)と導通し、
該夾座(60)は１つの上夾座(61)と１つの下夾座(65)とからなり、自動車のハンドル(70)に挟み固定することができ、上夾座(61)下夾座(65)の側板(62)(66)は相対して重ね合わせることができ、
上記各部を組み合わせ設置することにより、第一ダイアル発信器(1)第二ダイアル発信器(1’)をそれぞれ自動車のハンドル(70)の左右両側に固定設置することができ、
該メインコントローラー(90)は自動車の電源に連結され、
又、該メインコントローラー(90)はマイク(91)とスピーカー(92)とを具備し、
該メインコントローラー(90)内には音声信号処理回路及びブルートゥースチップ回路が組み込まれることにより、ブルートゥース音声通信技術によりメインコントローラー(90)と携帯電話(100)との間のダイアル信号及び音声信号を受発信することができることができ、
２つの第一ダイアル発信器(1)第二ダイアル発信器(1’)がそれぞれ１つずつハンドル(70)の左右両側に設置され、RF無線発信器(33)を有することにより、メインコントローラー(90)にキー(22)の信号及びコントロール信号を無線発信し、該メインコントローラー(90)内には音声信号処理回路及びブルートゥースチップ回路が組み込まれることにより、ブルートゥース音声通信技術によりメインコントローラー(90)と携帯電話(100)との間のダイアル信号及び音声信号を受発信することができることを特徴とする自動車ハンドル用ブルートゥース音声通信装置。
【請求項２】
該２つの第一ダイアル発信器(1)第二ダイアル発信器(1’)の金属弾力プレート(25)の側端と１つのストッパー(15)とが蓋(10)底に一体化固定されることを特徴とする請求項１記載の自動車ハンドル用ブルートゥース音声通信装置。
【請求項３】
該２つの第一ダイアル発信器(1)第二ダイアル発信器(1’)の数個のキー(22)はそれぞれ底面に圧柱(221)を有し、キー(22)が押される時、回路板(30)のキースイッチ(32)を導通させることができることを特徴とする請求項１記載の自動車ハンドル用ブルートゥース音声通信装置。
【請求項４】
第一ダイアル発信器(1)及び第二ダイアル発信器(1’)は１つの導線で連結され、電池(51)及びRF無線発信器(33)を共有することができることを特徴とする請求項１記載の自動車ハンドル用ブルートゥース音声通信装置。
【考案の詳細な説明】
【技術分野】
【０００１】
本考案は一種の自動車ハンドル用ブルートゥース（ｂｌｕｅｔｏｏｔｈ）音声通信装置に係るものであり、特に、自動車のハンドル(70)にRF無線発信器を取り付け、ブルートゥース音声通信装置と無線通信を確立し、ハンドルを握ったまま携帯電話を掛けることができる自動車ハンドル用ブルートゥース音声通信装置に係るものである。
【背景技術】
【０００２】
自動車内で携帯電話器を使用する為にハンズフリーキットが市販されているが、携帯電話をかける際にはハンドルから手を離したり、視線を前方の道路状況からずらしたりしなければならず、安全運転に支障をきたすという問題があった。本考案は上記の問題の解決を目的とする。
【考案の開示】
【考案が解決しようとする課題】
【０００３】
前記の目的を図るために、一種の自動車内でハンズフリー通話を行なうことができる一種の自動車ハンドル用ブルートゥース音声通信装置を提供する。
【課題を解決するための手段】
【０００４】
請求項１に記載の本考案の自動車ハンドル用ブルートゥース音声通信装置は、主に２つの相対する第一ダイアル発信器(1)第二ダイアル発信器(1’)及び１つのメインコントローラー(90)を含み、該２つの第一ダイアル発信器(1)第二ダイアル発信器(1’)は１つの蓋(10)と、１つのキーセット(20)と、１つの回路板(30)と、１つの底座(40)と、１つの電池座(50)と、１つの夾座(60)とを含み、  該蓋(10)は長弧状蓋体であり、上端面に１つの長孔(12)を有し、下から１つのキーセット(20)のキー(22)を設置することができ、  該キーセット(20)は１つの金属弾力プレート(25)の側端と１つのストッパー(15)とが蓋(10)底に一体化固定され、即ち、金属弾力プレート(25)側端が蓋(10)底端に嵌合される構造及び金属弾力プレート(25)の構造により該キー(22)は弾力性を具備することができ、  該回路板(30)は数個のキー(22)に相対する位置にキー(22)の発信及びコントロール信号を送る為の数個のキースイッチ(32)を有し、且つ、該回路板(30)上に１つのRF無線発信器(33)を有することにより、メインコントローラー(90)にキー(22)の信号及びコントロール信号を無線発信することができ、該底座(40)は蓋(10)上に固定され、又、該底座(40)は側縁に開口槽(45)を有し、１つの電池座(50)を挿入設置することができ、該電池座(50)は底座(40)内に設置され、引き出すことにより、電池(51)を交換することができ、該電池座(50)内の電池(51)は該回路板(30)底縁の導電プレート(34)と導通し、該夾座(60)は１つの上夾座(61)と１つの下夾座(65)とからなり、自動車のハンドル(70)に挟み固定することができ、上夾座(61)下夾座(65)の側板(62)(66)は相対して重ね合わせることができ、上記各部を組み合わせ設置することにより、第一ダイアル発信器(1)第二ダイアル発信器(1’)をそれぞれ自動車のハンドル(70)の左右両側に固定設置することができ、該メインコントローラー(90)は自動車の電源に連結され、又、該メインコントローラー(90)はマイク(91)とスピーカー(92)とを具備し、該メインコントローラー(90)内には音声信号処理回路及びブルートゥースチップ回路が組み込まれることにより、ブルートゥース音声通信技術によりメインコントローラー(90)と携帯電話(100)との間のダイアル信号及び音声信号を受発信することができることができ、２つの第一ダイアル発信器(1)第二ダイアル発信器(1’)がそれぞれ１つずつハンドル(70)の左右両側に設置され、RF無線発信器(33)を有することにより、メインコントローラー(90)にキー(22)の信号及びコントロール信号を無線発信し、該メインコントローラー(90)内には音声信号処理回路及びブルートゥースチップ回路が組み込まれることにより、ブルートゥース音声通信技術によりメインコントローラー(90)と携帯電話(100)との間のダイアル信号及び音声信号を受発信することができることを特徴とする。
また、請求項２に記載の本考案の自動車ハンドル用ブルートゥース音声通信装置は、上記請求項１において、２つの第一ダイアル発信器(1)第二ダイアル発信器(1’)の金属弾力プレート(25)の側端と１つのストッパー(15)とが蓋(10)底に一体化固定されることを特徴とする。
さらに、請求項３に記載の本考案の自動車ハンドル用ブルートゥース音声通信装置は、上記請求項１において、２つの第一ダイアル発信器(1)第二ダイアル発信器(1’)の数個のキー(22)はそれぞれ底面に圧柱(221)を有し、キー(22)が押される時、回路板(30)のキースイッチ(32)を導通させることができることを特徴とする。
さらにまた、請求項４に記載の本考案の自動車ハンドル用ブルートゥース音声通信装置は、上記請求項１において、第一ダイアル発信器(1)及び第二ダイアル発信器(1’)は１つの導線で連結され、電池(51)及びRF無線発信器(33)を共有することができることを特徴とする。
【考案の効果】
【０００５】
１．２つの第一ダイアル発信器(1)第二ダイアル発信器(1’)がそれぞれ１つずつハンドル(70)の左右両側に設置されることにより、自動車のドライバーはハンドル(70)を握ったまま、左右の指でキー(22)を押すことにより、ハンドルから手を離さずに携帯電話(100)を掛けることができる。
２．該メインコントローラー(90)はマイク(91)とスピーカー(92)とを具備し、上記構造により、自動車内でハンズフリー通話を行なうことができる一種の自動車ハンドル用ブルートゥース音声通信装置を提供することができる。
【考案を実施するための最良の形態】
【０００６】
以下に添付図面を参照して本考案のある好適な実施の形態を詳細に説明するが、それらの構成は本考案の構造の絶対的な制限にならない。
図１〜６が示す如く、本考案は一種の自動車ハンドル用ブルートゥース音声通信装置を提供するもので、主に２つの相対する第一ダイアル発信器(1)第二ダイアル発信器(1’)及び１つのメインコントローラー(90)を含み、該２つの第一ダイアル発信器(1)第二ダイアル発信器(1’)はハンドル(70)の左右両側にそれぞれ１つずつ設置され、第一ダイアル発信器(1)第二ダイアル発信器(1’)のキー(22)はメインコントローラー(90)にRF無線発信でき、該メインコントローラー(90)は無線受信器により第一ダイアル発信器(1)第二ダイアル発信器(1’)のキー(22)より発信される信号を受信でき、ブルートゥース音声通信技術によりメインコントローラー(90)と携帯電話(100)との間のダイアル信号及び音声信号を変換することができる。
【０００７】
本考案の第一ダイアル発信器(1)及び第二ダイアル発信器(1’)の構造はダイアルキーの配置以外は相似するものであり、第一ダイアル発信器(1)の構造のみを説明する。
本考案の第一ダイアル発信器(1)は１つの蓋(10)と、１つのキーセット(20)と、１つの回路板(30)と、１つの底座(40)と、１つの電池座(50)と、１つの夾座(60)とを含み、該蓋(10)は長弧状蓋体であり、上端面に１つの長孔(12)を有し、下から１つのキーセット(20)のキー(22)を設置することができ、該キーセット(20)は１つの金属弾力プレート(25)の側端と１つのストッパー(15)とが蓋(10)底に一体化固定され、即ち、金属弾力プレート(25)側端の円孔(251)及びストッパー(15)の穴(151)が蓋(10)底端の嵌柱(13)に嵌合される構造及び金属弾力プレート(25)の構造により該キー(22)は弾力性を具備することができ、且つ、数個のキー(22)はそれぞれ底面に圧柱(221)を有し、キー(22)が押される時、回路板(30)のキースイッチ(32)を導通させることができ、該回路板(30)は数個のキー(22)に相対する位置にキー(22)の発信及びコントロール信号を送る為の数個のキースイッチ(32)を有し、且つ、該回路板(30)上に１つのRF無線発信器(33)を有することにより、メインコントローラー(90)にキー(22)の信号及びコントロール信号を無線発信することができる。
【０００８】
該底座(40)は数個の穴(41)を有し、数個のネジ(48)により蓋(10)上に固定され、底座(40)の円孔(43)は該無線発信器(33)を貫通設置させることができ、又、該底座(40)は側縁に開口槽(45)を有し、１つの電池座(50)を挿入設置することができ、該電池座(50)によりキー(22)からの発信及び回路板(30)に必要な電力を供給することができる。
【０００９】
該電池座(50)は底座(40)内に設置され、引き出すことにより、電池(51)を交換することができ、該電池座(50)内の電池(51)は該回路板(30)底縁の導電プレート(34)と導通し、電池(51)によりキー(22)の発信及び回路板(30)に必要な電力を供給することができる。
【００１０】
該夾座(60)は１つの上夾座(61)と１つの下夾座(65)とからなり、自動車のハンドル(70)に挟み固定することができ、上夾座(61)下夾座(65)の側板(62)(66)は相対して重ね合わせることができ、且つ、側板(62)(66)の円孔(64)(69)は無線発信器(33)を貫通設置させることができ、側板(62)(66)は底座(40)底面に２つのネジ(68)より固定される構造であり、上記各部を組み合わせ設置することにより、自動車のハンドル(70)上に固定設置することができる。
【００１１】
該第二ダイアル発信器(1’)の構造はダイアルキーの配置以外は該第一ダイアル発信器(1)と大体同じであり、構造についての説明は省略する。
第一ダイアル発信器(1)及び第二ダイアル発信器(1’)は１つの導線で連結され、電池(51)及びRF無線発信器(33)を共有することができる。
【００１２】
該メインコントローラー(90)は自動車のシガーライターソケットへ挿入させるシガーライタープラグ部を有し、RFダイアル信号及び音声信号を受信に必要な電源を提供し、該メインコントローラー(90)内には音声信号処理回路及びブルートゥースチップ回路が組み込まれることにより（図に示していない）、ブルートゥース音声通信技術によりメインコントローラー(90)と携帯電話(100)との間のダイアル信号及び音声信号を受発信することができ、又、該メインコントローラー(90)はマイク(91)とスピーカー(92)とを具備し、上記構造により、自動車内でハンズフリー通話を行なうことができる一種の自動車ハンドル用ブルートゥース音声通信装置を提供することができる。
【図面の簡単な説明】
【００１３】
【図１】本考案の自動車ハンドル用ブルートゥース音声通信装置を示す組み合わせ構造図である。
【図２】本考案の第一ダイアル発信器(1)の立体分解図である。
【図３】本考案の第二ダイアル発信器(1’)の立体分解図である。
【図４】本考案の第二ダイアル発信器(1’)と夾座(60)との間の組み合わせ構造図である。
【図５ａ】図４のX-X線沿いの断面図である。
【図５ｂ】図４のY-Y線沿いの断面図である。
【図６】図１のZ-Z線沿いの断面図である。
【符号の説明】
【００１４】
1 第一ダイアル発信器
1’第二ダイアル発信器
10 蓋
12 長孔
13 嵌柱
15 ストッパー
151 穴
20 キーセット
22 キー
221 圧柱
25 金属弾力プレート
251 円孔
30 回路板
32 キースイッチ
33 無線発信器
34 導電プレート
40 底座
41 穴
43 円孔
45 開口槽
48 ネジ
50 電池座
51 電池
60 夾座
61 上夾座
62,66 側板
64,69 円孔
65 下夾座
68 ネジ
70 ハンドル
90 メインコントローラー
91 マイク
92 スピーカー
100 携帯電話
【図１】
0003121619.tif 000003
【図２】
0003121619.tif 000004
【図３】
0003121619.tif 000005
【図４】
0003121619.tif 000006
【図５ａ】
0003121619.tif 000007
【図５ｂ】
0003121619.tif 000008
【図６】
0003121619.tif 000009